(57)【特許請求の範囲】
【請求項１】
或１つの送信機から少なくとも１つの受信機へデータを伝送する方法であって、前記送信機は、固定した時間パターン（ｔ〔ｉ〕，i=0,1,2...）を使用し、ここで、種々の源、ソースからの複数のデータ流が、送信機により伝送されるようにし、ここで、データ流の出現データ量が種々分布されているようにした当該のデータ伝送方法において、
或１つのデータ流の出現データ量の変更の際、該変更の時点前に、前記出現データ量の変更を送信機に予告、通報し、前記データ流の出現データ量の変更についての予告、通報を源、ソースからの予告、通報の到来後次の伝送区間と共に送信機から送出し、出現データ量の低減を、遅くとも予告、通報後、所定時間（ｄ1）経過の時点で行い、ここで、前記の所定時間（ｄ1）を送信機の固定時間パターンにより規定することを特徴とするデータ伝送方法。
【請求項２】
次の伝送区間にて、送信機により、変更予告、通報を送信するため、当該の変更予告、通報は、少なくとも次の伝送区間の開始より、第２の時間（ｄ2）前のところで、送信機に伝送されるようにし、ここで、前記の第２の時間（ｄ2）は、システムに依存するすべての遅延の和であるように構成されていることを特徴とする請求の範囲１項記載の方法。
【請求項３】
同じ源、ソースの第２データ流の出現データ量の増大を、早くとも、源、ソースにより出現データ量の変更の予告、通報後第３の時間（ｄ3）経てから行い、ここで、第３の時間（ｄ3）は、第２時間（ｄ2）と所定時間（ｄ1）の２倍を合わせた値からなることを特徴とする請求の範囲１又は２記載の方法。
【請求項４】
単数又は複数の源、ソースには、所定時間（ｄ1）が知得されている、即ち、送信機の時間パターン（ｔ〔ｉ〕，i=0,1,2...）の長さが知得されていることを特徴とする請求の範囲１から３までのうちいずれか１項記載の方法。
【請求項５】
単数／複数の源、ソースに前記の第２の時間（ｄ2）が知得されていることを特徴とする請求の範囲１から４までのうちいずれか１項記載の方法。
【発明の詳細な説明】
技術水準
本発明はメインクレームの上位概念に規定したような或１つの送信機から少なくとも１つの受信機へデータを伝送するための方法に関する。広帯域デジタル放送システム、例えば、ＤＡＢ（＝Digital Audio Broadcasting）は、それの高いデータレートに基づき、複数のプログラム及び／又はデータサービスを多重化して伝送することができる。個々のプログラムへの容量全体の分割を、作動中変化させることができる（ダイナミック再構成、リコンフィギュレーション可能性）。刊行物Eureka 147-DAB II,Dokument WG3-93.14ａ（Th.Wachter,Deutsche Bundespost Telecom）中には、ネットワーク運用者に対する種々のプログラム提供者に割当られた伝送容量全体のフレキシブルな分割に就いて記載されている。ここでプログラム提供者は、それらに、割り当てられた容量全体を任意に種々のプログラム又はデータサービスに、自発的に、及び他のプログラムを考慮せずに分割することができる。このことは、“バーチャルネットワーク作動”と称される。但し、実現手法は、提案されていない。
発明の利点
本発明の方法は、“バーチャルネットワーク作動”を可能にする、換言すれば、源、ソースに固定的に割り当てられた出現データ量を、可能な更なる源、ソースを考慮せずに、ないしそれに無関係に複数データ流に独立的に細分化することを可能にし、その場合、１つの源、ソースの個々のデータ流の出現データ量の変更を送信機と源、ソースとの間ないし源、ソース相互間の同期化を必要とせずに、行うことができる。それにより、送信機から源、ソースへの戻り線路が必要でなくなり、更に、源、ソース相互間の了解を省き得るという更なる利点も得られる。請求の範囲３及び４にて、可用の伝送容量の最適利用を次のようにして可能にする周辺条件が規定されている、即ち、１つのデータ流の出現データ量の低減が可及的に遅い時点で行われ得、更なる１つのデータ流の出現データ量の増大が可及的に早い時点で行われ得るようにするのである。請求の範囲４及び５による本発明の発展形態により、“バーチャルネットワーク作動”における時間的シーケンスを更に最適化でき、その結果、各源、ソースに利用可能な出現データ量全体を最適利用出来、個々のデータ流の出現データ量の再構成、リコンフィギュレーションの際の不要の遅延を回避できる。
図面
本発明の実施例が図示してあり、以降の説明を詳述する。
図１は、本発明の方法実施のための基本構成を示す。図２は、３つの異なった時点で、２つの源、ソースへの可用伝送容量の分割の様子を示す。図３は、本発明の方法プロセスの時間的シーケンスの１例を示す。
発明の説明
“バーチャルネットワーク作動”の実現のための適当な手法、例えばＤＡＢ−システムにおける当該の手法は、以下説明する。但し、当該手法は、基本的にデータ伝送のため他の有線システム又は無線システムにも適用できる。
以下の考察の出発点は、図１の再構成、コンフィギュレーションであり、該コンフィギュレーションは、データマルチプレクサ５を有する送信機４からなり、ここには、１つ、又は複数のデータ流１２，１３，１４及び１６，１７が個別の出現データ量を以てそのために設けられたデータチャネルを介して供給される。ここで、各源、ソースには所定期間中出現データ量全体１１，１５が固定的に割り当てられ、配属されている。その際ＤＡＢシステムの場合、送信機は、ネットワーク運用者に相応し、源、ソースは、プログラム提供者に相応し、データ流は、プログラム提供者の種々のプログラム又はデータサービスに相応する。送信機のマルチプレクサの役割とするところは、例えば、フレーム中心の伝送の際データを適当なデータパケット（これは、例えば、１つの所定のプログラム又はデータサービスに相応する）に配属することである。送信機から送信されたデータフレームは、１つ又は複数の受信機３により受信され、デマルチプレクスされる。ここで、１つのフレームの種々のデータパケットは、再び、種々のプログラムに配属され、評価される。
図２には、３つの異なった時点で、２つのプログラム提供者１，２に夫々固定的に割り当てられた伝送容量全体１１。１５を夫々複数のプログラム及び／又はデータサービス１２，１３，１４及び１６，１７に分割する様子を示す。
時点ｔ１にて、プログラム提供者１は、夫々所定の出現データ量を有する３つのプログラム１２，１３，１４を伝送し、プログラム提供者２は、２つのプログラム１６，１７を伝送する。当該プログラムは、全く、又は部分的にデータサービスであり得る。時点ｔ２ではプログラム提供者２は、プログラム１６を低減し、プログラム１７出現データ量を増大させている。時点ｔ３では、プログラム提供者２は、それのプログラム１６，１７の出現データ量を時点ｔ１での元の、当初のデータレートに切り換えている。その結果当初プログラム１４に可用である伝送容量を用いてプログラム１２，１３にて比較的高い出現データ量を実現できる。
本発明の方法プロセスのシーケンスを図３を用いて説明する。
受信機の所望の機能を確保するため、当該受信機には、プログラムの変更の際、各プログラムの現在の分割状況のほかに出現データ量の将来の分割及び時点、例えば（フレーム番号）（当該の時点から変化が有効となる）が通知されねばならない。上記の通知は、別個の情報チャネルを介して行われるが、例えば多重信号によって通知の伝送をすることもできる。そのような変更の予告、通報は、当該変更の有効化（の時点）より所定の時間間隔ｄ1前のところで行われなければならない。送信機のマルチプレクサのほかに、源、ソースのデータ流も、その種の変更に関与しており、上記データ流は、マルチプレクスコンフィギュレーションの変更と同時にそれの新たな出現データ量に変更、切換されなければならない。
ここにおいて、次のような問題を克服しなければならない。一方では、プログラム提供者の源、ソースは、適正な時点で、新たな出現データ量に切換えられなければならず、その場合、ネットワーク運用者からプログラム提供者への戻り線路を設けなくてもよいようにすることを保証しなければならない。更に、個個（個別）のプログラム提供者が相互に相手を配慮しなくてもよいようにして、ｄ1より短い時間間隔でネットワーク運用者のところに到来する、相互に無関係の２つ又は複数のプログラム提供者のリコンフィギュレーション（再構成、編成し直し）−予告、通報の困難性を克服しなければならない。
当該方法プロセスの正常な機能動作にとって前提とされるところによれば、ネットワーク運用者におけるマルチプレクス信号のリコンフィギュレーション（再構成、編成し直し）は唯、離散的個別時点ｔ〔ｉ〕、ｉ＝0,1,2,...にて間隔ｄ1で行われることである。持続時間ｄ1は、例えばＤＡＢの場合、単に数secであるので、上記制限は、実際上問題にはならない。プログラム提供者が次のような要件を充足する場合には、プログラム提供者相互間及びプログラム提供者とネットワーク運用者との同期化は必須ではない、即ち、１つ、又は、複数のデータ流の出現データ量の所望の変更、以て、マルチプレクス信号のリコンフィギュレーション（再構成、編成し直し）の予告、通報を、当該の変更、ないしリコンフィギュレーションが行なわれるべきである時点より時間ｄ1だけ前に実施するという要件を充足する場合には、プログラム提供者相互間及びプログラム提供者とネットワーク運用者との同期化は必須ではないのである。送信機から受信機へのデータレートの変更の予告、通報は、時点ｔiで行われ、そしてそれに続く離散的時点ｔi＋1での送信機によるデータレートの変更は、まさに、次のような場合に行われる、即ち、当該の源、ソースのリコンフィギュレーション（再構成、編成し直し）、要求が送信機にて時点ｔi-1-d2〜ti-d2にて到来するまさにその場合に行われる。ここで、d2はシステムに依存する遅延、例えば送信機の応答時間、源、ソースデータレートの適正な変更のための期間及び、次のような遅延、即ち、例えばＤＡＢの場合、データの時間ランダム化、スクランブリングにより生じる遅延である。
源、ソースに送信機の時間パターンが知られている場合には、方法プロセスの正常な機能作動、実施のためには、次のようにすればよい、即ち、源、ソースが遅くともリコンフィギュレーション（再構成、編成し直し）の予告、通報の後、時間d1経てからそれのデータレートを、上記の値に低減するようにすればよいのである。逆に、同じ源、ソースの更なるデータ流のデータレートの増大は、早くともデータレートのリコンフィギュレーション（再構成、編成し直し）の予告、通報後時間ｄ3(=２d1＋d2）経てから行われてよいのである。
図３では、当該の方法プロセスの経過を１例を用いて示す。プログラム提供者２はそれのプログラム１６，１７の出現データ量を変更し度いのであり、ここで、それのプログラム１６の出現データ量を低減し、第２プログラム１６の出現データ量１７を増大させようとするのである。前記プログラム提供者は、この目的のため、ネットワーク運用者に対して或時点２１でそれらプログラムの出現データ量の変更をし度い旨の要望を予告、通報する。前記の或時点２１は、時間インターバル、間隔ti-1d2ないしti-d2内に位置する。上述のように、上記の変更の要望は、ネットワーク運用者から離散的時点ｔiで受信機へ転送される、そして、離散的時点ｔi+1で、マルチプレクサないしマルチプレクス信号をプログラム提供者のプログラムの変更された出現データ量へ適合させるため、マルチプレクス信号のリコンフィギュレーション（再構成、編成し直し）が実施される。データ流のデータレートの低減が、遅くとも、変更の要望の予告、通報後、所定時間ｄ1の経過後行われるべきであるとの要求に相応して、プログラム提供者は、プログラム１６の出現データ量を時点２１にに対比してｄ1だけずれた時点２２で低減する。第２データ流１７の出現データ量の増大は、時点２３で行われ、該時点２３は、変更予告、通報（の時点）に対比してｄ3＝２d1＋ｄ2だけずらされている。プログラム提供者によるプログラムの出現データ量の適合化の様子は、図３の最下方ダイヤグラムに示されている。
【図１】
0003678755.tif 000002
【図２】
0003678755.tif 000003
【図３】
0003678755.tif 000004